(57)【要約】      （修正有）【課題】乗降籠を巡航させるには最上階以上に天井階及び最下階以下に地下階を設けてその両階の垂直柱端を各レーンから切り離して、それぞれの垂直柱を座板に取り付けて、乗降籠が天井階及び地下階に到達した時点で自動的にそれぞれの座板を回動させて、隣接の同位相に垂直柱を停止させて、乗降籠を巡航させるようにする。【解決手段】垂直柱をレーン端で切り離すための座板をそれぞれ天井階及び地下階に設けて、回動出来るよう構成しレーン端部にその空間を与えて解決した。【選択図】図１
0003132661.tif 000002
【実用新案登録請求の範囲】
【請求項１】
適正径の円周を２分割以上した位置に建てた２本以上の垂直柱に適正ピッチでシールドベアリングを、その外輪が円周方向には雌ネジ状になるように取り付け、その内周に、外周を同一ピッチで雄ネジ状のスクリュウネジに成型した短円筒をネジ嵌合状態で挿入し、その短円筒軸に回転自在に取り付けた乗降籠を設けて、これにシールドベアリングに係合する回り止めを取り付けたうえ、この乗降籠に取り付けたブレーキ付きモーターで短円筒を回転させて、乗降籠を垂直柱内周に沿って上下させる構造のエレベータにおいて、この機構のエレベーターを左右２レーン２セット建立し、片方レーンのエレベーターが最上階（及び最下階）を過ぎて天井階（及び地下階）の位置に乗降籠が達した時点でその階の垂直柱と乗降籠及び短円筒を一体として、その階以下（及びその階以上）の垂直柱から切り離して隣接の同位相に回動する（又は水平移動させる）ように垂直柱座板を設て、この座板を回動（又は水平移動）させるモーターを、エレベーターフレームに取り付けて左右２レーンを乗降籠が巡航出来るようにした自走式エレベーターの巡航機構。
【請求項２】
各乗降籠に追突防止のセンサーを取り付けると共に、各階で停止のための停止ボタン、天井階及び地下階に達した時点で回動モーターが隣接レーンの乗降籠の空席を確認の上隣接レーンに自動回動し停止する為のシーケンサー制御、また各階外部ボタンによる乗降籠呼び出し機能、及び各階での内部指令による停止機能とドアー開閉機能を備えた自走式エレベータの巡航機構。
【考案の詳細な説明】
【技術分野】
【０００１】  本校案は円周を３乃至４分割した位置に建てた垂直柱に適寸等ピッチで雌ねじ状に取り付けた無給油シールドベアリングにネジ嵌合して噛み合うスクリュウ雄ネジを外周に持つ短円筒を回転させて上下させる構造の自走式エレベータに関する発明で、これを２レーン左右に隣接して設けて片方では上昇、他方では下降させ、乗降籠を巡航させる形式のものの機構に関するものである。
【背景技術】
【０００２】  上述の機構による自走移動装置は既に出願人本人の特許が登録されているが、従来の一般のエレベータは１レーンに１台が上下する形のため、乗降者の待ち時間が不可欠で、その不便があった。本案は幸い自走式のため数台の乗降籠を走行させ得ると共に、２レーン左右に設けて両レーンを巡航させることが可能となり、このことで従来のものより頗る優位性のものとなった。
【特例文献】
特許第２０７１８５６号
【考案の開示】
【考案が解決しようとする課題】
【０００３】  上記の構造のエレベーターにおいて乗降籠は外周がスクリュウ雄ネジ状に成型された外周を持つ短円筒の回転軸に垂直柱の無給油シールドベアリングと係合して回り止めを施した乗降籠を回動自在な形で取り付け、それに装着したモーターでスクリュウ短円筒軸を回動させるが、このエレベーターレーンを左右に近接して２レーン設置して、この３乃至４本の垂直柱を天井階及び地下階で垂直柱端部を適正寸レーンより切り放した上、これを垂直に保持する座板に取り付け、その座板を１８０度回動して隣接のレーンの垂直柱の同位相に停止させて、乗降籠を隣接のレーン上を下降及び上昇させる構造で、乗降籠を天井階及び地下階に達した時点で巡航させるように構成している。
【課題を解決するための手段】
【０００４】  上記の巡航を完成させれば、短円筒に装着した乗降籠を複数基回動させ得るがそのためには、それぞれに追突防止のセンサーを装着する必要があり、また乗降籠が天井階及び地下階に到達した時点で座板回転モーターが作動して、座板が１８０度回転停止するシーケンサー制御が行われる回路を設けること、またそれぞれの短円筒回転モーターの稼働のための電源裸線回路及びこれに接続のパンタグラフ装置を各乗降籠へ装着し、又その電源による乗降籠内及び外部乗降口での停止移動スイッチ回路、乗降口開閉回路等従来のものと同様当然装置するのは勿論である。
【考案の効果】
【０００５】  従来のエレベーターが１レーン１基に限られているため常に乗降客が乗降籠の往復の時間待ちを強いられているに対して本案が自走式であるための巡航可能タイプであることに加え、ベアリングが無給油シールドベアリングで保守点検を要しないこと、且つベアリングが複数設置されてスクリュウネジ短円筒を支えているため従来のロープ式等より遙かに安全で安全装置が省き得ること、更に機械室設置が省けて製作コストが遙かに低く且つ設置面積の簡易化等従来のものより多くの利点が上げられる。
【考案を実施するための最良の形態】
【０００６】  乗降階の最上階と最下階にそれぞれ天井階と地下階を設けて空の乗降籠の巡回室として設置する必要はあるが、これによって完全に巡航可能となりその効果は大きい。
【実施例】エレベーターの全図は省略し、最上階と天井階のみの説明に止めるが、最下階と地下階は天井階と同じ説明となるため図面も省略する。
３乃至４本の右垂直柱１・１・・・及び左垂直柱２・２・・・をそれぞれＲレーンＬレーンとして隣接して右左に設定しているが、それぞれその底面の円周上を３乃至４分割した位置に垂直に建立し、そのそれの垂直柱に適正ピッチで無給油シールドベアリング３・３・・・・を内面方向にむけて装着するについて、円周方向には外輪が雌ネジを形成するようにピッチ位置を調整し、その内部に、外周をその雌ネジにネジ嵌合するピッチに成型したスクリュウ雄ネジ状短円筒４を挿入し、これを回転してネジ嵌合状態で短円筒を上下させる構造にしている。そのスクリュウ雄ネジ短円筒軸５にスラストベアリング６を介して回転自在に乗降籠７を取り付け、それにスクリュウ雄ネジ短円筒４を回転させる為のモーターＭ１を設定するについて、それにかかる反力で乗降籠が回転するのを防止するため、乗降籠７に垂直柱に設定の無給油シールドベアリング３と係合する回り止め板８・８・・・を適正位置に取り付けて、スクリュウ雄ネジ状短円筒を回転させ、乗降籠７を昇降させるようにしている。いまこの昇降籠７がＲレーンを上昇して各階で乗降客が乗降して最上階Ｓ１に達し、客が降車した後では、自動的に更に上昇して天井階Ｓ２に待機している回転座板Ｐに装着した短寸垂直柱１’・１’・・内位置に移行した時点で上昇を停止し、隣接レーンＬ位置の他の短寸垂直柱２’内に他の乗降籠が無いことをセンサーで確かめた上自動的に回転座板ＰのモーターＭ２により隣接レーンＬの同位相にまで１８０度回転停止するようにしている。尚水平スライドさせてもよいがその場合は同位相で停止して乗降籠下降後逆転復帰させねばならないし、その回路が付加される。何れにしろその時点で短円筒軸モーターＭ１が反転して乗降籠７が最上階Ｓ１まで下降して自動停止するようにシーケンサー制御回路を設けておく必要があるが、それ以外各階での内部指令もしくは外部の呼び出し指令で路で停止及び呼び出し回路も設ける必要は当然である。なお最下階・地下階においての移動形態は最上階・天井階に準じて移動するので説明を省略するが、要は右左レーンを常時巡航するエレベーター機構で複数の乗降籠が任意に回動するものは他に類例を見ない。
【図面の簡単な説明】
【０００８】
【図１】  本案エレベーターのの最上階・天井階近辺の斜視図
【図２】  本案のエレベータの原理を示す正面図
【符号の説明】
【０００９】１．右垂直柱  ２．左垂直柱  ３．無給油シールドベアリング  ４．スクリュウ雄ネジ状短円筒  ５．スクリュウ雄ネジ状短円筒軸  ６．スラストベアリング  ７．乗降籠  ８．回り止め板  １’・２’．短寸垂直柱  Ｍ１．短円筒稼働モーター  Ｍ２．回転座板の稼働モーター  Ｒ．右レーン  Ｌ．左レーン  Ｓ１．最上階  Ｓ２．天井階  Ｐ．回転座板
【図１】
0003132661.tif 000003
【図２】
0003132661.tif 000004
【手続補正書】
【提出日】平成18年12月11日(2006.12.11)
【手続補正１】
【補正対象書類名】実用新案登録請求の範囲
【補正対象項目名】全文
【補正方法】変更
【補正の内容】
【実用新案登録請求の範囲】
【請求項１】
適正径の円周を２分割以上した位置に建てた垂直柱に適正等ピッチでシールドベアリングを、その外輪が円周方向には雌ネジ状になるように取り付けて、その内周に、外周を同一ピッチで雄ネジ状のスクリュウネジに成型した短円筒をネジ嵌合状態で挿入し、その短円筒軸に回転自在に取り付けた乗降籠を設けて、これにシールドベアリングに係合する回り止めを取り付けた上、この乗降籠に取り付けたブレーキ付きモーターで短円筒を回転させて、乗降籠を垂直柱内周に沿って上下させる構造のエレベーターにおいて、この機構のエレベーターを左右２レーン２セット建立し、片方レーンのエレベーターが最上階及び最下階を過ぎてそれぞれ天井階及び地下階の位置に乗降籠が達した時点で、その階の垂直柱と乗降籠および短円筒を１体として、その階以下又はその階以上の垂直柱から切り離して隣接のエレベーターの同位相に回動または水平移動するように垂直柱座板を設けて、この座板を回動させるモーターか水平移動して復帰するモーターをエレベーターフレームに設けて、左右２レーンを乗降籠が巡航できるようにした自走式エレベーターの巡航機構を完成するについて、各乗降籠に追突防止のセンサーを取り付けると共に、各階で停止のための停止ボタン、天井階及び地下階に達した時点で回動モーター又は往復移動モーターが隣接レーンの乗降顎の空席を確認の上隣接レーンに自動稼働し停止するためのシーケンサー制御、又各階外部ボタンによる乗降籠呼び出し機能、及び各階での内部指令による停止機能とドア開閉機能等の一般エレベーターの公知の機構による諸機能を合わせ備えた自走式エレベーターの巡航機構。
【手続補正書】
【提出日】平成19年3月5日(2007.3.5)
【手続補正１】
【補正対象書類名】実用新案登録請求の範囲
【補正対象項目名】全文
【補正方法】変更
【補正の内容】
【実用新案登録請求の範囲】
【請求項１】
適正径の円周を２分割以上した位置に建てた垂直柱に適正等ピッチでシールドベアリングを、その外輪が円周方向には雌ネジ状になるように取り付けて、その内周に、外周を同一ピッチで雄ネジ状のスクリュウネジに成型した短円筒をネジ嵌合状態で挿入し、その短円筒軸に回転自在に取り付けた乗降籠を設けて、これにシールドベアリングに係合する回り止めを取り付けた上、この乗降籠に取り付けたブレーキ付きモーターで短円筒を回転させて、乗降籠を垂直柱内周に沿って上下させる構造のエレベーターにおいて、この機構のエレベーターを左右２レーン２セット建立し、片方レーンのエレベーターが最上階及び最下階を過ぎてそれぞれ天井階及び地下階の位置に乗降籠が達した時点で、その階の垂直柱と乗降籠および短円筒を１体として、その階以下又はその階以上の垂直柱から切り離して隣接のエレベーターの同位相に回動または水平移動するように垂直柱座板を設けて、この座板を回動させるモーターか水平移動して復帰するモーターをエレベーターフレームに設けて、左右２レーンを乗降籠が巡航できるようにした自走式エレベーターの巡航機構を完成するについて、各乗降籠に追突防止のセンサーを取り付けると共に、各階で停止のための停止ボタン、天井階及び地下階に達した時点で回動モーター又は往復移動モーターが隣接レーンの乗降顎の空席を確認の上隣接レーンに自動稼働し停止するためのシーケンサー制御を有する自走式エレベーターの巡航機構。